【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
ネットワークに接続する接続手段と、
前記ネットワークへの接続に用いられる接続情報を記憶する記憶手段と、
投写面に画像を投写する投写手段と、
第１の識別画像を投写する第１の投写制御手段と、
前記投写面を撮像する撮像手段と、
前記第１の識別画像を撮像した他のプロジェクターにより前記撮像手段の撮像領域に投写された第２の識別画像を、前記撮像手段が撮像した画像から検出する第１の検出手段と、
前記第２の識別画像を検出した位置に基づいて、前記記憶手段に記憶された接続情報を示す第３の識別画像を投写する第２の投写制御手段と
を備えるプロジェクター。
【請求項２】
前記他のプロジェクターから前記記憶手段に記憶される接続情報を取得する場合において、前記撮像手段が撮像した画像から、当該他のプロジェクターにより前記撮像領域に投写された前記第１の識別画像を検出する第２の検出手段と、
前記他のプロジェクターが投写した前記第１の識別画像を検出した位置に基づいて、前記第２の識別画像を投写する第３の投写制御手段と、
前記他のプロジェクターにより前記撮像領域に投写された前記第３の識別画像を、前記撮像手段が撮像した画像から検出する第３の検出手段と、
検出された前記第３の識別画像に基づいて前記接続情報を取得する取得手段と
を備え、
前記接続手段は、
取得された前記接続情報を用いて、前記ネットワークに接続する
ことを特徴とする請求項１に記載のプロジェクター。
【請求項３】
ネットワークに接続する接続手段と、
前記ネットワークへの接続に用いられる接続情報を記憶する記憶手段と、
投写面に画像を投写する投写手段と、
前記記憶手段に記憶された接続情報を示す第１の識別画像を投写する第１の投写制御手段と、
前記投写面を撮像する撮像手段と、
前記第１の識別画像を撮像した他のプロジェクターにより前記撮像手段の撮像領域に投写された第２の識別画像を、前記撮像手段が撮像した画像から検出する第１の検出手段と、
前記第２の識別画像を検出した位置に基づいて、前記記憶手段に記憶された接続情報を示す第３の識別画像を投写する第２の投写制御手段と
を備えるプロジェクター。
【請求項４】
前記他のプロジェクターから前記記憶手段に記憶される接続情報を取得する場合において、前記撮像手段が撮像した画像から、当該他のプロジェクターにより前記撮像領域に投写された前記第１の識別画像を検出する第２の検出手段と、
検出された前記第１の識別画像に基づいて前記接続情報を取得する取得手段と、
前記接続情報が取得されなかった場合、前記他のプロジェクターが投写した前記第１の識別画像を検出した位置に基づいて、前記第２の識別画像を投写する第３の投写制御手段と、
前記他のプロジェクターにより前記撮像領域に投写された前記第３の識別画像を、前記撮像手段が撮像した画像から検出する第３の検出手段と
を備え、
前記取得手段は、
検出された前記第３の識別画像に基づいて前記接続情報を取得し、
前記接続手段は、
取得された前記接続情報を用いて、前記ネットワークに接続する
ことを特徴とする請求項３に記載のプロジェクター。
【請求項５】
前記第２の投写制御手段は、
前記第１の識別画像を縮小した画像を示す前記第３の識別画像を投写する
ことを特徴とする請求項３又は請求項４に記載のプロジェクター。
【請求項６】
前記投写手段は、画像を表す画像光を前記投写面に向けて射出する投写レンズと、当該投写レンズを移動させる駆動手段とを含み、
前記第１の投写制御手段、及び前記第２の投写制御手段は、
前記駆動手段を制御して、前記第１の識別画像及び前記第３の識別画像を投写する位置を変化させる
ことを特徴とする請求項１から請求項５のいずれか１項に記載のプロジェクター。
【請求項７】
前記撮像手段は、前記投写面の画像を撮像して当該画像を補正する補正処理用、又は、前記投写面上の位置を指示する指示体の位置を検出する位置検出用の撮像手段である
ことを特徴とする請求項１から請求項６のいずれか１項に記載のプロジェクター。
【請求項８】
ネットワークに接続する接続手段と、
前記ネットワークへの接続に用いられる接続情報を記憶する記憶手段と、
投写面に画像を投写する投写手段と
を備えるプロジェクターの制御方法であって、
第１の識別画像を投写するステップと、
前記投写面を撮像するステップと、
前記第１の識別画像を撮像した他のプロジェクターにより前記撮像するステップの撮像領域に投写された第２の識別画像を、撮像した画像から検出するステップと、
前記第２の識別画像を検出した位置に基づいて、前記記憶手段に記憶された接続情報を示す第３の識別画像を投写するステップと
を備えるプロジェクターの制御方法。
【請求項９】
ネットワークに接続する接続手段と、
前記ネットワークへの接続に用いられる接続情報を記憶する記憶手段と、
投写面に画像を投写する投写手段と
を備えるプロジェクターの制御方法であって、
前記記憶手段に記憶された接続情報を示す第１の識別画像を投写するステップと、
前記投写面を撮像するステップと、
前記第１の識別画像を撮像した他のプロジェクターにより前記撮像するステップの撮像領域に投写された第２の識別画像を、撮像した画像から検出するステップと、
前記第２の識別顔像を検出した位置に基づいて、前記記憶手段に記憶された接続情報を示す第３の識別画像を投写するステップと
を備えるプロジェクターの制御方法。
【手続補正２】
【補正対象書類名】明細書
【補正対象項目名】０００５
【補正方法】変更
【補正の内容】
【０００５】
上記目的を達成するために、本発明に係る一の態様のプロジェクターは、ネットワークに接続する接続手段と、前記ネットワークへの接続に用いられる接続情報を記憶する記憶手段と、投写面に画像を投写する投写手段と、第１の識別画像を投写する第１の投写制御手段と、前記投写面を撮像する撮像手段と、前記第１の識別画像を撮像した他のプロジェクターにより前記撮像手段の撮像領域に投写された第２の識別画像を、前記撮像手段が撮像した画像から検出する第１の検出手段と、前記第２の識別画像を検出した位置に基づいて、前記記憶手段に記憶された接続情報を示す第３の識別画像を投写する第２の投写制御手段とを備える。
この発明によれば、他のプロジェクターが存在する方向に応じて投写方向を変化させて、接続情報を示す識別画像を投写するので、複数のプロジェクター間のネットワークへの接続に用いられる接続情報の受け渡しを、当該複数のプロジェクターの位置関係の影響を受けにくく、且つユーザーの操作の負担が少ない方法で行うことができる。
【手続補正３】
【補正対象書類名】明細書
【補正対象項目名】０００６
【補正方法】変更
【補正の内容】
【０００６】
この発明において、前記他のプロジェクターから前記記憶手段に記憶される接続情報を取得する場合において、前記撮像手段が撮像した画像から、当該他のプロジェクターにより前記撮像領域に投写された前記第１の識別画像を検出する第２の検出手段と、前記他のプロジェクターが投写した前記第１の識別画像を検出した位置に基づいて、前記第２の識別画像を投写する第３の投写制御手段と、前記他のプロジェクターにより前記撮像領域に投写された前記第３の識別画像を、前記撮像手段が撮像した画像から検出する第３の検出手段と、検出された前記第３の識別画像に基づいて前記接続情報を取得する取得手段とを備え、前記接続手段は、取得された前記接続情報を用いて、前記ネットワークに接続してもよい。
この発明によれば、複数のプロジェクターの位置関係の影響を受けにくく、且つユーザーの操作の負担が少ない方法で、他のプロジェクターからの接続情報を取得することができる。
【手続補正４】
【補正対象書類名】明細書
【補正対象項目名】０００７
【補正方法】変更
【補正の内容】
【０００７】
本発明に係る他の態様のプロジェクターは、ネットワークに接続する接続手段と、前記ネットワークへの接続に用いられる接続情報を記憶する記憶手段と、投写面に画像を投写する投写手段と、前記記憶手段に記憶された接続情報を示す第１の識別画像を投写する第１の投写制御手段と、前記投写面を撮像する撮像手段と、前記第１の識別画像を撮像した他のプロジェクターにより前記撮像手段の撮像領域に投写された第２の識別画像を、前記撮像手段が撮像した画像から検出する第１の検出手段と、前記第２の識別画像を検出した位置に基づいて、前記記憶手段に記憶された接続情報を示す第３の識別画像を投写する第２の投写制御手段とを備える。
この発明によれば、複数の方向に投写方向を変化させて接続情報を示す識別画像を投写するので、複数のプロジェクター間のネットワークへの接続に用いられる接続情報の受け渡しを、当該複数のプロジェクターの位置関係の影響を受けにくく、且つユーザーの操作の負担が少ない方法で行うことができる。
【手続補正５】
【補正対象書類名】明細書
【補正対象項目名】０００８
【補正方法】変更
【補正の内容】
【０００８】
本発明において、前記他のプロジェクターから前記記憶手段に記憶される接続情報を取得する場合において、前記撮像手段が撮像した画像から、当該他のプロジェクターにより前記撮像領域に投写された前記第１の識別画像を検出する第２の検出手段と、検出された前記第１の識別画像に基づいて前記接続情報を取得する取得手段と、前記接続情報が取得されなかった場合、前記他のプロジェクターが投写した前記第１の識別画像を検出した位置に基づいて、前記第２の識別画像を投写する第３の投写制御手段と、前記他のプロジェクターにより前記撮像領域に投写された前記第３の識別画像を、前記撮像手段が撮像した画像から検出する第３の検出手段とを備え、前記取得手段は、検出された前記第３の識別画像に基づいて前記接続情報を取得し、前記接続手段は、取得された前記接続情報を用いて、前記ネットワークに接続してもよい。
この発明によれば、複数のプロジェクターの位置関係の影響を受けにくく、且つユーザーの操作の負担が少ない方法で、他のプロジェクターからの接続情報を取得することができる。
【手続補正６】
【補正対象書類名】明細書
【補正対象項目名】００１０
【補正方法】変更
【補正の内容】
【００１０】
更に、前記投写手段は、画像を表す画像光を前記投写面に向けて射出する投写レンズと、当該投写レンズを移動させる駆動手段とを含み、前記第１の投写制御手段、及び前記第２の投写制御手段は、前記駆動手段を制御して、前記第１の識別画像及び前記第３の識別画像を投写する位置を変化させてもよい。
この発明によれば、投写方向を変化させる仕組みの複雑化を抑制することができる。
【手続補正７】
【補正対象書類名】明細書
【補正対象項目名】００１２
【補正方法】変更
【補正の内容】
【００１２】
本発明に係るプロジェクターの制御方法は、ネットワークに接続する接続手段と、前記ネットワークへの接続に用いられる接続情報を記憶する記憶手段と、投写面に画像を投写する投写手段とを備えるプロジェクターの制御方法であって、第１の識別画像を投写するステップと、前記投写面を撮像するステップと、前記第１の識別画像を撮像した他のプロジェクターにより前記撮像するステップの撮像領域に投写された第２の識別画像を、撮像した画像から検出するステップと、前記第２の識別画像を検出した位置に基づいて、前記記憶手段に記憶された接続情報を示す第３の識別画像を投写するステップとを備える。
この発明によれば、他のプロジェクターが存在する方向に応じて投写方向を変化させて、接続情報を示す識別画像を投写するので、複数のプロジェクター間のネットワークへの接続に用いられる接続情報の受け渡しを、当該複数のプロジェクターの位置関係の影響を受けにくく、且つユーザーの操作の負担が少ない方法で行うことができる。
【手続補正８】
【補正対象書類名】明細書
【補正対象項目名】００１３
【補正方法】変更
【補正の内容】
【００１３】
本発明に係る他のプロジェクターの制御方法は、ネットワークに接続する接続手段と、前記ネットワークへの接続に用いられる接続情報を記憶する記憶手段と、投写面に画像を投写する投写手段とを備えるプロジェクターの制御方法であって、前記記憶手段に記憶された接続情報を示す第１の識別画像を投写するステップと、前記投写面を撮像するステップと、前記第１の識別画像を撮像した他のプロジェクターにより前記撮像するステップの撮像領域に投写された第２の識別画像を、撮像した画像から検出するステップと、前記第２の識別顔像を検出した位置に基づいて、前記記憶手段に記憶された接続情報を示す第３の識別画像を投写するステップとを備える。
この発明によれば、複数の方向に投写方向を変化させて接続情報を示す識別画像を投写するので、複数のプロジェクター間のネットワークへの接続に用いられる接続情報の受け渡しを、当該複数のプロジェクターの位置関係の影響を受けにくく、且つユーザーの操作の負担が少ない方法で行うことができる。
【手続補正９】
【補正対象書類名】明細書
【補正対象項目名】００４２
【補正方法】変更
【補正の内容】
【００４２】
ステップＳ１０の処理で、撮像を開始してから所定時間が経過しても第２の識別画像Ｍｒ２を検出しなかった場合は、プロジェクター１０−１はタイムアウトとして、マスターモードでの動作を終了する。また、ステップＳ７の処理で、撮像を開始してから所定時間が経過しても第１の識別画像Ｍｒ１を検出しなかった場合は、プロジェクター１０−２はタイムアウトとして、スレーブモードでの動作を終了する。
【手続補正１０】
【補正対象書類名】明細書
【補正対象項目名】００６０
【補正方法】変更
【補正の内容】
【００６０】
１…投写システム、１０−１，１０−２，１０−３…プロジェクター、１０１，１１８…接続手段、１０２，１１７…記憶手段、１０３…第１の投写制御手段、１０４，１１４…投写手段、１０５，１１１…撮像手段、１０６…第１の検出手段、１０７…第２の投写制御手段、１１２…第２の検出手段、１１３…第３の投写制御手段、１１５…第３の検出手段、１１６…取得手段、１１…ＣＰＵ、１２…ＲＯＭ、１３…ＲＡＭ、１４…操作部、１５…画像処理部、１６…投写部、１６１…光源、１６２…液晶パネル、１６３…投写レンズ部、１６４…光源制御部、１６５…パネル駆動部、１６６…レンズ駆動部、１７…カメラ部、１８…記憶部、１９…通信部、２０…ＡＰ、３０…指示体、４０…スクリーン